【手続補正書】
【提出日】平成24年8月22日(2012.8.22)
【手続補正１】
【補正対象書類名】特許請求の範囲
【補正対象項目名】全文
【補正方法】変更
【補正の内容】
【特許請求の範囲】
【請求項１】
ノズル調整機構（５０）であって、
固定リング（５２）と、
ピボットピン（７０）によって前記固定リング（５２）に連結されかつ該ピボットピン（７０）と共に回転するように構成された少なくとも１つのベーン（５６）と、
前記固定リング（５２）に対して回転可能に連結されかつ該ノズル調整機構（５０）の縦方向軸線（Ｚ）の周りで回転するように構成された調整リング（５４）と、
前記少なくとも１つのベーン（５６）を前記調整リング（５４）に連結しかつ該調整リング（５４）が回転した時に該少なくとも１つのベーン（５６）を動かすように構成された連結機構（５８、６０）と、を含み、
前記連結機構（５８、６０）が、互いに連結されたレバー構成要素（５８）及びリンク構成要素（６０）を含み、
前記レバー構成要素（５８）が、前記少なくとも１つのベーン（５６）に連結され、また前記リンク構成要素（６０）が、前記調整リング（５４）に連結され、
前記調整リング（５４）が、前記ノズル調整機構（５０）の前記縦方向軸線方向上方に直接配置されている、
ノズル調整機構。
【請求項２】
前記固定リング（５２）に連結されかつ前記調整リング（５４）を回転可能に支持した延長リング（７８）をさらに含み、
前記延長リング（７８）が、前記調整リング（５４）から前記固定リング（５２）を分離して、前記連結機構（５８、６０）が該調整リングと該固定リング（５２）との間に挟まれるようにする、
請求項１に記載のノズル調整機構。
【請求項３】
前記少なくとも１つのベーン（５６）が、前記固定リング（５２）の第１の面上に配置され、
前記調整リング（５４）及び連結機構（５８、６０）が、前記固定リング（５２）の第２の面上に配置され、
前記第１の面が、前記第２の面とは反対側である、
請求項１に記載のノズル調整機構。
【請求項４】
前記ピボットピン（７０）を介して前記少なくとも１つのベーン（５６）に連結されたノズルカバー（６２）をさらに含み、
前記ノズルカバー（６２）が、前記少なくとも１つのベーン（５６）が該ノズルカバー（６２）と前記固定リング（５２）との間に挟まれるように配置される、
請求項１に記載のノズル調整機構。
【請求項５】
前記連結機構（５８、６０）が、前記レバー構成要素（５８）と前記リンク構成要素（６０）との間に連結された中間リンク構成要素を含む、請求項１に記載のノズル調整機構。
【請求項６】
前記リンク構成要素（６０）の長手方向軸線（Ｘ）が、前記少なくとも１つのベーン（５６）が閉鎖位置にある時に、該ノズル調整機構（５０）の縦方向軸線（Ｚ）を指している、請求項１に記載のノズル調整機構。
【請求項７】
前記調整リング（５４）の所定の回転が、前記少なくとも１つのベーン（５６）が閉鎖位置にある時に、該少なくとも１つのベーン（５６）を開放させるような該ベーン（５６）の第１の回転を生じさせ、また
前記調整リング（５４）の同じ所定の回転が、前記少なくとも１つのベーン（５６）が開放位置にある時に、該少なくとも１つのベーン（５６）を閉鎖させるような該ベーン（５６）の第２の回転を生じさせ、
前記第２の回転が、前記第１の回転よりも小さい、
請求項１に記載のノズル調整機構。
【請求項８】
前記リンク構成要素（６０）の長さに対する前記レバー構成要素（５８）の長さの比率が１〜１０の間である、請求項１に記載のノズル調整機構。
【請求項９】
前記調整リング（５４）が作動した時に、前記レバー構成要素（５８）が、１つの方向に回転しかつ前記リンク構成要素（６０）が、反対の方向に回転する、請求項１に記載のノズル調整機構。
【請求項１０】
前記少なくとも１つのベーン（５６）が、対応するピボットピン（７０）により前記固定リング（５２）に対して回転可能に固定されかつ前記調整リング（５４）によって作動した時に回転して、前記固定リング（５２）とノズルカバー（６２）との間の空間を完全に閉鎖するように構成された複数のベーン（５６）を含む、請求項１に記載のノズル調整機構。
【請求項１１】
半径流タービンであって、
フレームと、
前記フレームに連結されかつ流体の流入を調整するように構成されたノズル調整機構（５０）と、
を含み、前記ノズル調整機構（５０）が、
固定リング（５２）と、
ピボットピン（７０）によって前記固定リング（５２）に連結されかつ該ピボットピン（７０）と共に回転するように構成された少なくとも１つのベーン（５６）と、
前記固定リング（５２）に対して回転可能に連結されかつ該ノズル調整機構（５０）の縦方向軸線（Ｚ）の周りで回転するように構成された調整リング（５４）と、
前記少なくとも１つのベーン（５６）を前記調整リング（５４）に連結しかつ該調整リング（５４）が回転した時に該少なくとも１つのベーン（５６）を動かすように構成された連結機構（５８、６０）と、を含み、
前記連結機構（５８、６０）が、互いに連結されたレバー構成要素（５８）及びリンク構成要素（６０）を含み、
前記レバー構成要素（５８）が、前記少なくとも１つのベーン（５６）に連結され、また前記リンク構成要素（６０）が、前記調整リング（５４）に連結され、
前記調整リング（５４）が、前記ノズル調整機構（５０）の前記縦方向軸線方向上方に直接配置されている、
タービン。
【請求項１２】
前記固定リング（５２）に連結されかつ前記調整リング（５４）を回転可能に支持した延長リング（７８）をさらに含み、
前記延長リング（７８）が、前記調整リング（５４）から前記固定リング（５２）を分離して、前記連結機構（５８、６０）が該調整リング（５４）と該固定リング（５２）との間に挟まれるようにする、
請求項１１に記載のタービン。
【請求項１３】
前記少なくとも１つのベーン（５６）が、前記固定リング（５２）の第１の面上に配置され、
前記調整リング（５４）及び連結機構（５８、６０）が、前記固定リング（５２）の第２の面上に配置され、
前記第１の面が、前記第２の面とは反対側である、
請求項１１に記載のタービン。
【請求項１４】
前記ピボットピン（７０）を介して前記少なくとも１つのベーン（５６）に連結されたノズルカバー（６２）をさらに含み、
前記ノズルカバー（６２）が、前記少なくとも１つのベーン（５６）が該ノズルカバー（６２）と前記固定リング（５２）との間に挟まれるように配置される、
請求項１１に記載のタービン。
【請求項１５】
ノズル調整機構（５０）を介して流体の流入を調整する方法であって、
固定リング（５２）に対して回転可能に連結されかつ前記ノズル調整機構（５０）の縦方向軸線（Ｚ）の周りで回転するように構成された調整リング（５４）を回転させるステップと、
互いに連結されたレバー構成要素（５８）及びリンク構成要素（６０）を含みかつ少なくとも１つのベーン（５６）を前記調整リング（５４）に連結した連結機構（５８、６０）を介して、前記回転させた調整リング（５４）から該少なくとも１つのベーン（５６）に力を伝達するステップと、
前記リンク構成要素（６０）に連結された前記調整リング（５４）の回転の結果として、前記レバー構成要素（５８）に連結されかつピボットピン（７０）によって前記固定リング（５２）に連結された前記少なくとも１つのベーン（５６）を作動させて、その作動により、該ピボットピン（７０）と共に該少なくとも１つのベーン（５６）を回転させるステップと、
を含み、
前記調整リング（５４）が、前記ノズル調整機構（５０）の前記縦方向軸線方向上方に直接配置されている、
方法。